(57)【要約】【課題】オブジェクトの選択性を向上させて使い勝手を向上させる。【解決手段】表示パネル１２１と、表示パネル１２１に対するタッチ操作を検出するタッチセンサー１２３とを備える表示部１２０と、表示パネル１２１に複数のオブジェクトが表示された状態で、タッチセンサー１２３により検出される第１のタッチ操作に基づいて表示パネル１２１に選択領域５０を設定し、選択領域５０が設定された状態で、タッチセンサー１２３により検出される第２のタッチ操作に基づいて選択領域５０に含まれるオブジェクトのうち少なくとも１つを選択する制御部１１０と、を備える端末装置１００。【選択図】図１
2019028720.tif 000002
【特許請求の範囲】
【請求項１】
表示面を有する表示部と、
前記表示面に対するタッチ操作を検出する操作検出部と、
前記表示面に複数のオブジェクトが表示された状態で、前記操作検出部により検出される第１のタッチ操作に基づいて前記表示面に選択領域を設定し、前記選択領域が設定された状態で、前記操作検出部により検出される第２のタッチ操作に基づいて前記選択領域に含まれる前記オブジェクトのうち少なくとも１つを選択する制御部と、
を備える情報処理装置。
【請求項２】
前記制御部は、前記選択領域に複数の前記オブジェクトが含まれる場合に、複数の前記オブジェクトを選択する順番を設定し、前記第２のタッチ操作が検出されるごとに、設定した順番に従って前記オブジェクトの選択を変更する請求項１記載の情報処理装置。
【請求項３】
前記制御部は、前記選択領域の中心と、前記選択領域に含まれる前記オブジェクトの各々との距離に基づいて複数の前記オブジェクトを選択する順番を設定する請求項２記載の情報処理装置。
【請求項４】
前記制御部は、前記選択領域に含まれる前記オブジェクトに、少なくとも一部の領域が他の前記オブジェクトと重なる前記オブジェクトが存在する場合に、重なり合った前記オブジェクトの重なりの順番に従って、重なり合った前記オブジェクトを選択する順番を設定する請求項２又は３記載の情報処理装置。
【請求項５】
前記制御部は、選択した前記オブジェクトの表示態様を、他の前記オブジェクトの表示態様とは異なる表示態様に変更する請求項１から４のいずれか１項に記載の情報処理装置。
【請求項６】
前記制御部は、選択した前記オブジェクトを拡大表示させることで、他の前記オブジェクトの表示態様とは異なる表示態様に変更する請求項５記載の情報処理装置。
【請求項７】
前記制御部は、他の前記オブジェクトの表示色を、予め設定された表示色に変更する請求項５記載の情報処理装置。
【請求項８】
前記制御部は、少なくとも一部の領域が前記選択領域に含まれる他の前記オブジェクトと重なる前記オブジェクトを選択する場合に、選択する前記オブジェクトより重なりの順番が上の前記オブジェクトの透過率を、選択する前記オブジェクトの透過率より高くする請求項５記載の情報処理装置。
【請求項９】
前記制御部は、前記選択領域と、前記選択領域の外側の領域とのいずれか一方の領域に対するタッチ操作を前記第２のタッチ操作と判定し、前記選択領域と前記選択領域の外側の領域とのいずれか他方の領域に対するタッチ操作を第３のタッチ操作と判定して、前記第２のタッチ操作が検出された場合とは異なる処理を実行する請求項１から８のいずれか１項に記載の情報処理装置。
【請求項１０】
前記制御部は、前記選択領域と、前記選択領域の外側の領域とのいずれか一方の領域に対するタッチ操作を前記第２のタッチ操作と判定して、設定した前記順番に従って前記オブジェクトの選択を変更し、
前記選択領域と、前記選択領域の外側の領域とのいずれか他方の領域に対するタッチ操作を前記第３のタッチ操作と判定して、設定した前記順番とは逆の順番で前記オブジェクトの選択を変更する請求項９記載の情報処理装置。
【請求項１１】
前記制御部は、前記選択領域と、前記選択領域の外側の領域とのいずれか一方の領域に対するタッチ操作を前記第２のタッチ操作と判定して、設定した前記順番に従って前記オブジェクトの選択を変更し、
前記選択領域と、前記選択領域の外側の領域とのいずれか他方の領域に対するタッチ操作を前記第３のタッチ操作と判定して、前記オブジェクトの選択を確定させる請求項９記載の情報処理装置。
【請求項１２】
前記制御部は、前記第１のタッチ操作として検出された前記タッチ操作が前記操作検出部により検出されなくなると、前記オブジェクトの選択を確定させる請求項１から８のいずれか１項に記載の情報処理装置。
【請求項１３】
前記制御部は、予め設定された時間内に行われる１又は複数の前記タッチ操作を前記第１のタッチ操作と判定し、前記操作検出部により検出される前記タッチ操作の操作位置に基づいて前記選択領域を設定する請求項１から１２のいずれか１項に記載の情報処理装置。
【請求項１４】
表示面を有する表示部と、前記表示面に対するタッチ操作を検出する操作検出部とを備える情報処理装置に搭載されたコンピューターに実行させるプログラムであって、
前記コンピューターに、
前記表示面に複数のオブジェクトが表示された状態で、前記操作検出部により検出される第１のタッチ操作に基づいて前記表示面に選択領域を設定する手順と、
前記選択領域が設定された状態で、前記操作検出部により検出される第２のタッチ操作に基づいて前記選択領域に含まれる前記オブジェクトのうち少なくとも１つを選択する手順と、を実行させるためのプログラム。
【請求項１５】
表示面を有する表示部と、前記表示面に対するタッチ操作を検出する操作検出部とを備える情報処理装置の制御方法であって、
前記表示面に複数のオブジェクトが表示された状態で、前記操作検出部により検出される第１のタッチ操作に基づいて前記表示面に選択領域を設定するステップと、
前記選択領域が設定された状態で、前記操作検出部により検出される第２のタッチ操作に基づいて前記選択領域に含まれる前記オブジェクトのうち少なくとも１つを選択するステップと、
を有する情報処理装置の制御方法。
【発明の詳細な説明】
【技術分野】
【０００１】
本発明は、情報処理装置、プログラム、及び情報処理装置の制御方法に関する。
【背景技術】
【０００２】
従来、表示面に対するタッチ操作に基づいて表示面に表示されたオブジェクトの選択が可能な情報処理装置が知られている（例えば、特許文献１参照）。
特許文献１は、タッチパネルにタッチされた第１タッチ位置及び第２タッチ位置を検出して第１タッチ位置及び第２タッチ位置を頂点とする矩形領域を設定し、矩形領域に含まれるオブジェクトを選択する電子機器を開示する。
【先行技術文献】
【特許文献】
【０００３】
【特許文献１】特開２０１３−７３４８４号公報
【発明の概要】
【発明が解決しようとする課題】
【０００４】
しかしながら、特許文献１に開示の電子機器は、選択したいオブジェクトが矩形領域内に含まれるように第１タッチ位置及び第２タッチ位置を設定しなければならない。このため、例えば、複数のオブジェクトが近接して表示されるような場合、所望のオブジェクトを選択するために矩形領域を設定するためのタッチ操作が困難になることがあった。
本発明は、オブジェクトの選択性を向上させて使い勝手を向上させることを目的とする。
【課題を解決するための手段】
【０００５】
上記課題を解決するため、本発明の情報処理装置は、表示面を有する表示部と、前記表示面に対するタッチ操作を検出する操作検出部と、前記表示面に複数のオブジェクトが表示された状態で、前記操作検出部により検出される第１のタッチ操作に基づいて前記表示面に選択領域を設定し、前記選択領域が設定された状態で、前記操作検出部により検出される第２のタッチ操作に基づいて前記選択領域に含まれる前記オブジェクトのうち少なくとも１つを選択する制御部と、を備える。
本発明によれば、第１のタッチ操作に基づいて設定された選択領域内に含まれるオブジェクトのうち少なくとも１つが、第２のタッチ操作に基づいて選択される。従って、選択領域内に複数のオブジェクトが含まれる場合であっても、第２のタッチ操作によりオブジェクトを選択することができる。このため、オブジェクトの選択性を向上させて使い勝手を向上させることができる。
【０００６】
また、本発明は、前記制御部は、前記選択領域に複数の前記オブジェクトが含まれる場合に、複数の前記オブジェクトを選択する順番を設定し、前記第２のタッチ操作が検出されるごとに、設定した順番に従って前記オブジェクトの選択を変更する。
本発明によれば、第２のタッチ操作を繰り返すことで、設定された順番に従ってオブジェクトを選択することができる。
【０００７】
また、本発明は、前記制御部は、前記選択領域の中心と、前記選択領域に含まれる前記オブジェクトの各々との距離に基づいて複数の前記オブジェクトを選択する順番を設定する。
本発明によれば、オブジェクトが選択される順番が、選択領域の中心からの距離に基づいて設定される。選択したいオブジェクトを中心として選択領域を設定することで、ユーザーの意図したオブジェクトが選択される順番を上位に設定することができる。
【０００８】
また、本発明は、前記制御部は、前記選択領域に含まれる前記オブジェクトに、少なくとも一部の領域が他の前記オブジェクトと重なる前記オブジェクトが存在する場合に、重なり合った前記オブジェクトの重なりの順番に従って、重なり合った前記オブジェクトを選択する順番を設定する。
本発明によれば、オブジェクトの重なりの順番に従って、オブジェクトが選択される順番を設定することができる。従って、ユーザーの意図したオブジェクトが選択される順番を上位に設定することができる。
【０００９】
また、本発明は、前記制御部は、選択した前記オブジェクトの表示態様を、他の前記オブジェクトの表示態様とは異なる表示態様に変更する。
本発明によれば、選択されたオブジェクトの表示が明確になる。
【００１０】
また、本発明は、前記制御部は、選択した前記オブジェクトを拡大表示させることで、他の前記オブジェクトの表示態様とは異なる表示態様に変更する。
本発明によれば、選択されたオブジェクトの表示が明確になる。
【００１１】
また、本発明は、前記制御部は、他の前記オブジェクトの表示色を、予め設定された表示色に変更する。
本発明によれば、選択されたオブジェクトの表示が明確になる。
【００１２】
また、本発明は、前記制御部は、少なくとも一部の領域が前記選択領域に含まれる他の前記オブジェクトと重なる前記オブジェクトを選択する場合に、選択する前記オブジェクトより重なりの順番が上の前記オブジェクトの透過率を、選択する前記オブジェクトの透過率より高くする。
本発明によれば、選択されたオブジェクトの表示が明確になる。
【００１３】
また、本発明は、前記制御部は、前記選択領域と、前記選択領域の外側の領域とのいずれか一方の領域に対するタッチ操作を前記第２のタッチ操作と判定し、前記選択領域と前記選択領域の外側の領域とのいずれか他方の領域に対するタッチ操作を第３のタッチ操作と判定して、前記第２のタッチ操作が検出された場合とは異なる処理を実行する。
本発明によれば、選択領域に対するタッチ操作と、選択領域の外側の領域に対するタッチ操作とで異なる処理を実行させることができる。
【００１４】
また、本発明は、前記制御部は、前記選択領域と、前記選択領域の外側の領域とのいずれか一方の領域に対するタッチ操作を前記第２のタッチ操作と判定して、設定した前記順番に従って前記オブジェクトの選択を変更し、前記選択領域と、前記選択領域の外側の領域とのいずれか他方の領域に対するタッチ操作を前記第３のタッチ操作と判定して、設定した前記順番とは逆の順番で前記オブジェクトの選択を変更する。
本発明によれば、選択領域をタッチ操作した場合と、選択領域の外側の領域をタッチ操作した場合とで、オブジェクトを選択する順番を変更することができる。このため、情報処理装置の使い勝手を向上させることができる。
【００１５】
また、本発明は、前記制御部は、前記選択領域と、前記選択領域の外側の領域とのいずれか一方の領域に対するタッチ操作を前記第２のタッチ操作と判定して、設定した前記順番に従って前記オブジェクトの選択を変更し、前記選択領域と、前記選択領域の外側の領域とのいずれか他方の領域に対するタッチ操作を前記第３のタッチ操作と判定して、前記オブジェクトの選択を確定させる。
本発明によれば、選択領域に対するタッチ操作と、選択領域の外側の領域に対するタッチ操作とにより、オブジェクトの選択を変更する操作と、オブジェクトの選択を確定させる操作とを行うことができる。
【００１６】
また、本発明は、前記制御部は、前記第１のタッチ操作として検出された前記タッチ操作が前記操作検出部により検出されなくなると、前記オブジェクトの選択を確定させる。
本発明によれば、簡単な操作によりオブジェクトの選択を確定させることができる。
【００１７】
また、本発明は、前記制御部は、予め設定された時間内に行われる１又は複数の前記タッチ操作を前記第１のタッチ操作と判定し、前記操作検出部により検出される前記タッチ操作の操作位置に基づいて前記選択領域を設定する。
本発明によれば、選択領域を、１又は複数のタッチ操作により設定することができる。
【００１８】
上記課題を解決するため、本発明は、表示面を有する表示部と、前記表示面に対するタッチ操作を検出する操作検出部とを備える情報処理装置に搭載されたコンピューターに実行させるプログラムであって、前記コンピューターに、前記表示面に複数のオブジェクトが表示された状態で、前記操作検出部により検出される第１のタッチ操作に基づいて前記表示面に選択領域を設定する手順と、前記選択領域が設定された状態で、前記操作検出部により検出される第２のタッチ操作に基づいて前記選択領域に含まれる前記オブジェクトのうち少なくとも１つを選択する手順と、を実行させる。
本発明によれば、第１のタッチ操作に基づいて設定された選択領域内に含まれるオブジェクトのうち少なくとも１つが、第２のタッチ操作に基づいて選択される。従って、選択領域内に複数のオブジェクトが含まれる場合であっても、第２のタッチ操作によりオブジェクトを選択することができる。このため、オブジェクトの選択性を向上させて、使い勝手を向上させることができる。
【００１９】
上記課題を解決するため、本発明は、表示面を有する表示部と、前記表示面に対するタッチ操作を検出する操作検出部とを備える情報処理装置の制御方法であって、前記表示面に複数のオブジェクトが表示された状態で、前記操作検出部により検出される第１のタッチ操作に基づいて前記表示面に選択領域を設定するステップと、前記選択領域が設定された状態で、前記操作検出部により検出される第２のタッチ操作に基づいて前記選択領域に含まれる前記オブジェクトのうち少なくとも１つを選択するステップと、を有する。
本発明によれば、第１のタッチ操作に基づいて設定された選択領域内に含まれるオブジェクトのうち少なくとも１つが、第２のタッチ操作に基づいて選択される。従って、選択領域内に複数のオブジェクトが含まれる場合であっても、第２のタッチ操作によりオブジェクトを選択することができる。このため、オブジェクトの選択性を向上させて、使い勝手を向上させることができる。
【図面の簡単な説明】
【００２０】
【図１】端末装置の構成図。
【図２】制御部の動作を示すフローチャート。
【図３】制御部の動作を示すフローチャート。
【図４】表示パネルの表示状態を示す図。
【図５】表示パネルの表示状態を示す図。
【図６】選択領域を示す図。
【図７】選択領域を示す図。
【図８】候補オブジェクトが選択された状態を示す図。
【図９】候補オブジェクトが選択された状態を示す図。
【図１０】候補オブジェクトを拡大表示した状態を示す図。
【発明を実施するための形態】
【００２１】
以下、図面を参照して本発明の実施形態について説明する。
【００２２】
図１は、情報処理装置としての端末装置１００の構成を示す構成図である。
端末装置１００は、例えば、ＰＣ（Personal Computer）やＰＤＡ（Personal Digital Assistant）、携帯電話、スマートフォン、タブレット型コンピューター等のデバイスである。
【００２３】
端末装置１００は、制御部１１０、表示部１２０、グラフィックＩ／Ｆ部１２５、操作ボタン群１３１、撮像部１３３、入出力Ｉ／Ｆ部１３５、オーディオユニット１４１、オーディオＩ／Ｆ部１４３、通信Ｉ／Ｆ部１４５を備える。
制御部１１０、グラフィックＩ／Ｆ部１２５、入出力Ｉ／Ｆ部１３５、オーディオＩ／Ｆ部１４３、通信Ｉ／Ｆ部１４５は、システムバス１５０を介して相互に通信可能に接続される。また、入出力Ｉ／Ｆ部１３５には、操作ボタン群１３１や撮像部１３３、表示部１２０の備えるタッチセンサー１２３が接続される。タッチセンサー１２３は、本発明の「操作検出部」に相当する。
【００２４】
制御部１１０は、プロセッサー１１１及びメモリーモジュール１１３を備える。プロセッサー１１１は、本発明のプログラムを実行するコンピューターに相当する。
プロセッサー１１１は、メモリーモジュール１１３が記憶する制御プログラムに従って演算処理を実行する。図１には、１つのプロセッサー１１１により演算処理を実行する構成を示すが、複数のプロセッサー又は半導体チップにより演算処理を実行するように構成ことも可能である。例えば、制御部１１０に、ＳｏＣ（System-on-a-Chip）やＭＣＵ（Micro Control Unit）、ＦＰＧＡ（Field-Programmable Gate Array）等の副処理装置（co-processor）をさらに搭載する構成であってもよい。また、制御部１１０は、プロセッサー１１１及び副処理装置の双方を協働させるか、あるいは双方のうちの一方を選択的に用いて各種の制御を行うように構成してもよい。
【００２５】
メモリーモジュール１１３は、ＤＲＡＭ等の揮発性メモリーや、マスクＲＯＭ等のデータの書き換えができない不揮発性メモリー、フラッシュメモリーや磁気ディスク等の書き換え可能な不揮発性メモリーのいずれか又はこれらの組み合わせによって構成される。
揮発性メモリーは、プロセッサー１１１のメインメモリーとして使用され、例えば、アプリケーションプログラムや、アプリケーションプログラムの実行に用いられるデータの一部又は全部を記憶する。不揮発性メモリーは、例えば、ＢＩＯＳや、ＯＳプログラム、アプリケーションプログラム、デバイスドライバー等の制御プログラムや、端末装置１００の制御に必要なシステムデータを記憶する。また、不揮発性メモリーは、画像データや文書データ、テキストデータ、音楽データ、撮像画像データ等を記憶する。なお、図１には図示していないが、端末装置１００を、ＵＳＢメモリーやＳＤメモリーカード等の外部メディアを接続可能に構成し、この外部メディアに、画像データや文書データ、テキストデータ、音楽データ、撮像画像データを記憶させる構成であってもよい。
【００２６】
グラフィックＩ／Ｆ部１２５は、表示部１２０を端末装置１００に接続するためのインターフェイスであり、制御部１１０から供給される画像データを、表示用の画像信号に変換して表示部１２０の表示パネル１２１に出力する。
【００２７】
表示部１２０は、液晶ディスプレイや有機ＥＬ（Electro Luminescent）ディスプレイ等の表示パネル１２１を備える。表示部１２０は、グラフィックＩ／Ｆ部１２５から入力される画像信号に基づく画像を表示パネル１２１に表示させる。表示パネル１２１は、本発明の「表示面」に相当する。
【００２８】
また、表示部１２０は、タッチセンサー１２３を備える。タッチセンサー１２３は、表示パネル１２１に重ねて配置され、表示パネル１２１に対するユーザーのタッチ操作を検出する。タッチセンサー１２３は、検出したタッチ操作の操作位置を示す位置情報を算出する。タッチセンサー１２３により検出される位置情報は、表示パネル１２１に設定された座標系における座標である。タッチセンサー１２３は、算出した位置情報を含む操作信号を入出力Ｉ／Ｆ部１３５及びシステムバス１５０を介して制御部１１０に出力する。なお、以下ではタッチセンサー１２３により検出されたタッチ操作の操作位置をタッチ位置という。
【００２９】
操作ボタン群１３１は、例えば、端末装置１００の電源をオン、オフするための電源ボタンや、端末装置１００の各種設定を行うためのボタン等の各種操作ボタンを備える。入出力Ｉ／Ｆ部１３５は、操作を受け付けたボタンに対応した操作信号を制御部１１０に出力する。
【００３０】
撮像部１３３は、撮像レンズ及び撮像素子（ともに図示略）を備え、制御部１１０の制御に従って被写体を撮像し、撮像画像データを生成する。
【００３１】
オーディオユニット１４１は、マイクやスピーカー（ともに図示略）を備える。
オーディオＩ／Ｆ部１４３は、オーディオユニット１４１を端末装置１００に接続するインターフェイスである。オーディオＩ／Ｆ部１４３は、制御部１１０から供給される音声データに、例えば復号化、Ｄ／Ａ変換、増幅等の信号処理を施し、アナログの音声信号に変換してスピーカーに出力する。また、オーディオＩ／Ｆ部１４３は、マイクから入力されるアナログの音声信号に、例えば、増幅、Ａ／Ｄ変換等の信号処理を施して制御部１１０に出力する。
【００３２】
通信Ｉ／Ｆ部１４５は、制御部１１０の制御の下、ネットワークを通じて他の端末装置１００やサーバー装置、印刷装置（いずれも図示略）との通信を行う。ネットワークは、例えば、インターネット、ＬＡＮ（Local Area Network）、ＷＡＮ（Wide Area Network）専用通信回線、移動体通信網（基地局等を含む）、ゲートウェイ等により構築される。
例えば、制御部１１０は、タッチ操作又は操作ボタン群１３１の操作により画像データが選択され、選択された画像データの印刷が指示された場合、画像データを含む印刷依頼を、通信Ｉ／Ｆ部１４５を介してサーバー装置に送信する。サーバー装置は、受信した印刷依頼を処理して、印刷装置に印刷を実行させる。
【００３３】
図２及び図３は、制御部１１０の動作を示すフローチャートである。図２及び図３に示すフローチャートを参照しながら制御部１１０の制御動作について説明する。
図２及び図３のフローチャートに示す制御部１１０の制御動作は、オブジェクトを加工、編集するアプリケーションプログラムが選択され、制御部１１０がこのアプリケーションプログラムに従って処理を実行することで開始される。
オブジェクトには、文字や記号等のテキストや、画像（静止画像）が含まれる。また、画像には、グラフィックス画像（線画、図形）、イメージ画像（連続調画像）等が含まれる。この他に、アイコンやボタン等をオブジェクトに含めてもよい。
【００３４】
制御部１１０は、タッチ操作又は操作ボタン群１３１の操作により実行するアプリケーションプログラムの選択が入力されると、選択されたアプリケーションプログラムを実行する（ステップＳ１）。ここで選択されたアプリケーションプログラムは、オブジェクトを加工、編集するアプリケーションプログラムであると仮定して説明する。
【００３５】
制御部１１０は、アプリケーションプログラムを実行すると、表示パネル１２１にアプリケーション画面を表示させる。アプリケーション画面は、制御部１１０がアプリケーションプログラムを実行することによって表示される表示画面である。
【００３６】
制御部１１０は、アプリケーション画面を表示させると、表示部１２０のタッチ操作又は操作ボタン群１３１の操作により、オブジェクトの表示要求を受け付けたか否かを判定する（ステップＳ２）。制御部１１０は、オブジェクトの表示要求を受け付けていない場合（ステップＳ２／ＮＯ）、受け付けた操作に対応した処理を実行する（ステップＳ３）。その後、制御部１１０は、タッチ操作又は操作ボタン群１３１の操作により、アプリケーションプログラムを終了させる操作を受け付けたか否かを判定する（ステップＳ４）。制御部１１０は、アプリケーションプログラムを終了させる操作を受け付けた場合（ステップＳ４／ＹＥＳ）、この処理フローを終了させる。また、制御部１１０は、アプリケーションプログラムを終了させる操作を受け付けていない場合（ステップＳ４／ＮＯ）、ステップＳ２の判定に戻り、オブジェクトの表示要求を受け付けたか否かを判定する。
【００３７】
制御部１１０は、ステップＳ２において、オブジェクトの表示要求を受け付けた場合（ステップＳ２／ＹＥＳ）、加工、編集処理の対象となるオブジェクトを表示パネル１２１に表示させる（ステップＳ５）。
例えば、制御部１１０は、メモリーモジュール１１３から加工、編集処理の対象となる画像データやテキストデータ、撮像画像データを読み出す。制御部１１０は、読み出した画像データに基づく画像や、テキストデータに基づくテキスト、撮像画像データに基づく撮像画像を表示パネル１２１に表示させる。また、制御部１１０は、通信Ｉ／Ｆ部１４５を介してサーバー装置からダウンロードした画像やテキストを表示パネル１２１に表示させてもよい。
【００３８】
図４及び図５は、表示パネル１２１の表示状態を示す図である。
表示パネル１２１に表示させるオブジェクトは、１つであってもよいし、複数であってもよい。また、表示パネル１２１に複数のオブジェクトを表示させる場合、複数のオブジェクトを隙間なく表示させてもよいし、複数のオブジェクトを、オブジェクトとオブジェクトとの間に所定の間隔を設けて表示させてもよい。また、複数のオブジェクトを表示パネル１２１に表示させる場合に、オブジェクトの少なくとも一部の領域が、他のオブジェクトの少なくとも一部の領域と重なるようにオブジェクトを表示させてもよい。
図４には、同一サイズの複数の画像を、画像の上端、及び左端を揃えて表示させた状態を示す。本実施形態では、図４に示す表示を整列表示という。
また、図５には、複数のオブジェクトを、オブジェクトの少なくとも一部の領域が、他のオブジェクトの少なくとも一部の領域に重なるように表示させた状態を示す。本実施形態では、図５に示す表示を重畳表示という。図５には、複数のオブジェクトのすべてが、１又は複数の他のオブジェクトと重なるように表示させた場合を示すが、複数のオブジェクトのすべてが他のオブジェクトと重なっている必要はない。複数のオブジェクトの少なくとも一部が、他のオブジェクトと重なっているように表示されていればよい。
【００３９】
制御部１１０は、表示パネル１２１に複数のオブジェクトを表示させると、タッチセンサー１２３から入力される操作信号に基づいて第１のタッチ操作が入力されたか否かを判定する（ステップＳ６）。制御部１１０は、表示パネル１２１にオブジェクトが表示された状態において、予め設定された時間内に行われる１又は複数回のタッチ操作を第１のタッチ操作と判定する。第１のタッチ操作は、予め設定された時間内に行われるタッチ操作であれば、１回のタッチ操作であってもよいし、複数回のタッチ操作であってもよい。また、タッチ操作として使用可能な指の本数は１本に限定されず、複数本の指を表示パネル１２１の異なる位置に同時に接触させてタッチ操作を行ってもよい。また、タッチさせた指は、表示パネル１２１に接触させたまま移動させなくてもよいし、接触させた指を表示パネル１２１上で移動させてもよい。
【００４０】
本実施形態は、第１のタッチ操作が、親指と中指の２本の指を表示パネル１２１上の異なる２点に同時に接触させ、接触させた指を表示パネル１２１上で移動させない場合について説明するが、第１のタッチ操作はこれに限定されない。また、制御部１１０は、表示パネル１２１上の異なる２点の位置情報が入力されたタイミングで、第１のタッチ操作が入力されたと判定し、第１のタッチ操作が完了したと判定する。この他に、制御部１１０は、確定操作が入力されるまで第１のタッチ操作が完了していないと判定してもよい。確定操作には、例えば、表示パネル１２１に表示された所定のマークやアイコンをタッチする操作を挙げることができる。
【００４１】
また、本実施形態では、表示パネル１２１上の異なる２点に接触させた親指と中指の２本の指を表示パネル１２１から離さない場合について説明するが、確定操作を行うために、接触させた指を表示パネル１２１から離してもよい。また、制御部１１０は、第１のタッチ操作のために表示パネル１２１に接触させた指が表示パネル１２１から離れ、タッチセンサー１２３から位置情報の入力がなくなると、確定操作が入力されたと判定してもよい。
【００４２】
また、第１のタッチ操作の他の例として、表示パネル１２１に接触させた１本の指を、後述する選択領域５０として設定したい領域の軌跡を描くように表示パネル１２１上で移動させてもよい。また、第１のタッチ操作の他の例として、１本の指を表示パネル１２１上の１点に接触させる操作であってもよい。
【００４３】
制御部１１０は、第１のタッチ操作が入力されていないと判定すると（ステップＳ６／ＮＯ）、第１のタッチ操作が入力されるまで待機する。また、制御部１１０は、第１のタッチ操作が入力されたと判定すると（ステップＳ６／ＹＥＳ）、入力された第１のタッチ操作の位置情報に基づいて選択領域５０の設定を行う（ステップＳ７）。制御部１１０は、第１のタッチ操作として検出された２つのタッチ位置を対角線とする矩形領域を選択領域５０に設定する。
【００４４】
図６及び図７は、選択領域５０を示す図である。
図６及び図７において、破線で囲まれた領域が、制御部１１０により設定された選択領域５０を示す。図６は、表示状態が整列表示の表示パネル１２１において設定された選択領域５０を示す。また、図７は、表示状態が重畳表示の表示パネル１２１において設定された選択領域５０を示す。
また、図６及び図７には、タッチ位置５３及び対角線５４を示す。２つのタッチ位置５３を結ぶ対角線５４を対角線とする矩形領域が選択領域５０して設定される。
【００４５】
また、第１のタッチ操作が、表示パネル１２１に接触させた１本の指を、選択領域５０として設定したい領域の軌跡を描くように表示パネル１２１上で移動させる操作であると仮定する。この場合、制御部１１０は、タッチセンサー１２３から入力される位置情報の軌跡をそのまま選択領域５０として設定する。
また、第１のタッチ操作が、１本の指を表示パネル１２１上の１点に接触させる操作であると仮定する。この場合、制御部１１０は、第１のタッチ操作により選択された位置を中心とする予め設定された半径の円を選択領域５０として設定してもよい。
【００４６】
次に、制御部１１０は、設定した選択領域５０内に複数のオブジェクトが含まれるか否かを判定する（ステップＳ８）。制御部１１０は、選択領域５０内に複数のオブジェクトが含まれない場合、すなわち、選択領域５０内にオブジェクトが１つしか含まれていない場合（ステップＳ８／ＮＯ）、このオブジェクトを候補オブジェクトに設定する（ステップＳ１２）。候補オブジェクトとは、加工や編集処理の候補のオブジェクトである。候補オブジェクトに設定された後に、後述する確定操作が入力されると、制御部１１０は、候補オブジェクトが選択されたと判定し、候補オブジェクトに対して加工や編集処理を行う。
【００４７】
また、制御部１１０は、選択領域５０に複数のオブジェクトが含まれると判定した場合（ステップＳ８／ＹＥＳ）、選択領域５０に含まれる複数のオブジェクトに表示上の上下関係があるか否かを判定する（ステップＳ９）。表示上の上下関係とは、オブジェクトの少なくとも一部の領域が、１又は複数の他のオブジェクトの少なくとも一部の領域に重なって表示される関係をいう。オブジェクトに表示上の上下関係がある場合、上下関係の下に位置するオブジェクトの重なった領域は表示パネル１２１には表示されず、上下関係の上に位置するオブジェクトの重なった領域が表示される。
【００４８】
制御部１１０は、選択領域５０に含まれる複数のオブジェクトに表示上の上下関係があると判定した場合（ステップＳ９／ＹＥＳ）、表示上の上下関係に従って複数のオブジェクトの選択順位を設定する（ステップＳ１０）。選択順位は、候補オブジェクトとして選択するオブジェクトの順番を示す情報である。制御部１１０は、表示上の上下関係が最も上に位置するオブジェクトの選択順位を第１位に設定する。また、表示上の上下関係が第１位の設定したオブジェクトの１つ下に位置するオブジェクトの選択順位を第２位に設定する。以下、制御部１１０は、表示上の上下関係に従って、複数のオブジェクトに選択順位を設定する。
【００４９】
また、制御部１１０は、複数のオブジェクトに表示上の上下関係がないと判定した場合（ステップＳ９／ＮＯ）、設定した選択領域５０の中心と、複数のオブジェクトとの距離に基づいて複数のオブジェクトに選択順位を設定する（ステップＳ１１）。
制御部１１０は、例えば、選択領域５０の中心と、複数のオブジェクトの各々の中心との距離をそれぞれ求め、求めた距離が短い順に選択順位を設定する。すなわち、制御部１１０は、選択領域５０の中心からの距離が最も短い位置に表示されたオブジェクトの選択順位を第１位に設定する。また、制御部１１０は、この第１位に設定したオブジェクトの次に中心からの距離が短いオブジェクトの選択順位を第２位に設定する。以下、同様の手順に従って、選択領域５０に含まれる複数のオブジェクトに選択順位を設定する。
【００５０】
このフローチャートでは、説明の簡略化のため、選択領域５０に含まれる複数のオブジェクトのすべてに表示上の上下関係がある場合について説明するが、選択領域５０に含まれる複数のオブジェクトの少なくとも一部に、表示上の上下関係があってもよい。
例えば、制御部１１０は、選択領域５０に含まれる複数のオブジェクトのうち、表示上の上下関係があるオブジェクトについては、表示上の上下関係が最も上のオブジェクトの中心を、表示上の上下関係があるオブジェクトの各々の中心に設定する。次に、制御部１１０は、選択領域５０の中心からの距離に基づいて、表示上の上下関係がないオブジェクトと、表示上の上下関係が最も上のオブジェクトの選択順位を設定していく。そして、制御部１１０は、表示上の上下関係が最も上のオブジェクトの選択順位を設定する際に、表示上の上下関係がある他のオブジェクトの選択順位も設定する。すなわち、制御部１１０は、表示上の上下関係が最も上のオブジェクトの選択順位を設定すると、最も上に位置するオブジェクトの１つ下に位置するオブジェクトの選択順位を、最も上に位置するオブジェクトの次の選択順位に設定する。制御部１１０は、以下、同様の処理を繰り返し、表示上の上下関係があるオブジェクトについて選択順位を設定していく。また、制御部１１０は、表示上の上下関係があるオブジェクトのすべてについて選択順位を設定すると、表示上の上下関係がないオブジェクトであって、選択順位を設定していないオブジェクトがあるか否かを判定する。制御部１１０は、選択順位を設定していないオブジェクトがあると判定すると、これらのオブジェクトに選択順位を設定する。すなわち、制御部１１０は、選択領域５０の中心からの距離が、表示上の上下関係が最も上のオブジェクトの次に近いオブジェクトの選択順位を、表示上の上下関係が最も下のオブジェクトに設定した選択順位の次の順位に設定する。
【００５１】
図３に示すフローチャートを参照しながら制御部１１０の制御動作について引き続き説明する。
制御部１１０は、選択順位の設定が終了すると、設定した選択順位に従って候補オブジェクトを選択する（ステップＳ１２）。
図８は、表示パネル１２１にオブジェクトが整列表示された状態において、選択順位が第１位のオブジェクトが候補オブジェクトとして選択された状態を示す。オブジェクトの表示状態が整列表示の場合、制御部１１０は、選択領域５０の中心からの距離が最も短いオブジェクトを候補オブジェクトとして選択する。図８において、選択領域５０の中心５５を黒丸で示し、斜線を表示して示すオブジェクトが候補オブジェクトとして選択されたオブジェクトであることを示す。
また、図９は、表示パネル１２１にオブジェクトが重畳表示された状態において、選択順位が第１位のオブジェクトが候補オブジェクトとして選択された状態を示す。オブジェクトの表示状態が重畳表示の場合、制御部１１０は、表示上の上下関係が最も上のオブジェクトを候補オブジェクトとして選択する。図９において、斜線を表示して示すオブジェクトが候補オブジェクトとして選択されたオブジェクトであることを示す。
【００５２】
制御部１１０は、候補オブジェクトを選択すると、タッチ操作が入力されたか否かを判定する（ステップＳ１３）。制御部１１０は、タッチ操作が入力されない場合（ステップＳ１３／ＮＯ）、タッチ操作が入力されるまで待機する。また、制御部１１０は、タッチ操作が入力されると（ステップＳ１３／ＹＥＳ）、入力されたタッチ操作のタッチ位置が選択領域５０内であるか否かを判定する（ステップＳ１４）。本実施形態は、選択領域５０の設定後、候補オブジェクトが選択された状態で入力されるタッチ操作を、第２のタッチ操作又は第３のタッチ操作として検出する。本実施形態では、選択領域５０に対するタッチ操作を第２のタッチ操作として検出し、選択領域５０の外側の領域に対するタッチ操作を第３のタッチ操作として検出する場合について説明する。
【００５３】
制御部１１０は、タッチ操作のタッチ位置が選択領域５０内である場合（ステップＳ１４／ＹＥＳ）、入力されたタッチ操作を、第２のタッチ操作と判定する。制御部１１０は、第２のタッチ操作が入力されたと判定すると、候補オブジェクトとして選択しているオブジェクトよりも選択順位が１つ下のオブジェクトを次の候補オブジェクトとして選択する（ステップＳ１２）。そして、制御部１１０は、タッチ操作が入力されたか否かを判定する（ステップＳ１３）。すなわち、制御部１１０は、第２のタッチ操作が入力されるごとに、候補オブジェクトとして選択するオブジェクトを切り替える。
【００５４】
また、制御部１１０は、タッチ操作のタッチ位置が選択領域５０の外側の領域である場合（ステップＳ１４／ＮＯ）、入力されたタッチ操作が第３のタッチ操作であると判定する。本実施形態では、制御部１１０は、第３のタッチ操作を確定操作と判定する。制御部１１０は、候補オブジェクトが選択されたと判定し、候補オブジェクトを確定させる（ステップＳ１５）。例えば、制御部１１０は、表示パネル１２１に表示された他のオブジェクトの表示を消去して、選択されたオブジェクトだけを表示させる。その後、制御部１１０は、表示パネル１２１に加工、編集ツールを表示させ、選択されたオブジェクトに対する加工又は編集操作を受け付ける（ステップＳ１６）。
【００５５】
上記のフローチャートの説明では、第３のタッチ操作が確定操作である場合について説明したが、制御部１１０は、第３のタッチ操作が入力された場合に、候補オブジェクトを拡大表示させてもよい。図１０には、第３のタッチ操作に従って、候補オブジェクトを拡大表示させた状態を示す。
【００５６】
また、制御部１１０は、第３のタッチ操作が入力された場合、第２のタッチ操作が入力された場合とは異なる順番でオブジェクトを選択してもよい。
制御部１１０は、第２のタッチ操作が入力された場合、設定した選択順位に従って、選択順位の高いオブジェクトから候補オブジェクトに選択する。また、制御部１１０は、第３のタッチ操作が入力された場合、設定した選択順位と逆の順番で候補オブジェクトを選択する。すなわち、制御部１１０は、選択順位の低いオブジェクトから順に候補オブジェクトに選択する。
また、第３のタッチ操作をリバース操作として使用してもよい。すなわち、候補オブジェクトとして選択されたオブジェクトの１つ前の候補オブジェクトを選択したい場合に、ユーザーは、選択領域５０の外側の領域をタッチする第３のタッチ操作を行う。
制御部１１０は、第３のタッチ操作が入力されると、候補オブジェクトとして選択したオブジェクトの１つ前に候補オブジェクトに選択したオブジェクトを、再度、候補オブジェクトに選択する。
【００５７】
また、ステップＳ１２において、制御部１１０は、候補オブジェクトを選択すると、選択した候補オブジェクトの表示態様を、他のオブジェクトの表示態様と変更してもよい。候補オブジェクトの表示態様を、他のオブジェクトの表示態様と変更することで、候補オブジェクトが選択されていることをユーザーに明確に示すことができる。
例えば、制御部１１０は、候補オブジェクトとして選択したオブジェクを拡大させて、候補オブジェクトを他のオブジェクトよりも大きなサイズで表示させてもよい。
また、制御部１１０は、候補オブジェクト以外のオブジェクトの表示色を、予め設定された表示色に変更してもよい。例えば、制御部１１０は、候補オブジェクト以外のオブジェクトをグレー表示にして、候補オブジェクトが選択されていることを示してもよい。また、制御部１１０は、候補オブジェクトの縁の輝度を高く変更して、候補オブジェクトが選択されていることを示してもよい。
【００５８】
また、制御部１１０は、選択領域５０に含まれる複数のオブジェクトに表示上の上下関係がある場合に、候補オブジェクトとして選択したオブジェクトよりも上位のオブジェクトの透過率を、候補オブジェクトの透過率よりも高く設定してもよい。すなわち、制御部１１０は、表示上の上下関係が候補オブジェクトよりも上位のオブジェクトの透過率を高く設定して、候補オブジェクトの視認性を高める。
【００５９】
以上説明したように本実施形態の端末装置１００は、表示部１２０、タッチセンサー１２３及び制御部１１０を備える。
表示部１２０は、表示パネル１２１、及び表示パネル１２１に対するタッチ操作を検出するタッチセンサー１２３を備える。
制御部１１０は、表示パネル１２１に複数のオブジェクトが表示された状態で、タッチセンサー１２３により検出される第１のタッチ操作に基づいて表示パネル１２１に選択領域５０を設定する。また、制御部１１０は、選択領域５０が設定された状態で、タッチセンサー１２３により検出される第２のタッチ操作に基づいて選択領域５０に含まれるオブジェクトのうち少なくとも１つを選択する。
従って、選択領域５０内に複数のオブジェクトが含まれる場合であっても、第２のタッチ操作によりオブジェクトを選択することができる。このため、オブジェクトの選択性を向上させて、端末装置１００の使い勝手を向上させることができる。
【００６０】
また、制御部１１０は、選択領域５０に複数のオブジェクトが含まれる場合に、複数のオブジェクトを選択する順番を設定し、第２のタッチ操作が入力されるごとに、設定した順番に従ってオブジェクトの選択を変更する。
従って、第２のタッチ操作を繰り返すことで、設定された順番に従ってオブジェクトを選択することができる。
【００６１】
また、制御部１１０は、選択領域５０の中心５５と、選択領域５０に含まれるオブジェクトの各々との距離に基づいて複数のオブジェクトを選択する順番を設定する。選択したいオブジェクトを中心として選択領域５０を設定することで、ユーザーの意図したオブジェクトが選択される順番を上位に設定することができる。
【００６２】
また、制御部１１０は、選択領域５０に含まれるオブジェクトに、少なくとも一部の領域が他のオブジェクトと重なるオブジェクトが存在する場合に、重なり合ったオブジェクトの重なりの順番に従って、重なり合ったオブジェクトを選択する順番を設定する。
従って、ユーザーの意図したオブジェクトが選択される順番を上位に設定することができる。
【００６３】
また、制御部１１０は、選択したオブジェクトの表示態様を、他のオブジェクトの表示態様とは異なる表示態様に変更する。
従って、選択されたオブジェクトを明確に表示することができる。
【００６４】
また、制御部１１０は、選択したオブジェクトを拡大表示させることで、他のオブジェクトの表示態様とは異なる表示態様に変更する。
従って、選択されたオブジェクトを明確に表示することができる。
【００６５】
また、制御部１１０は、他のオブジェクトの表示色を、予め設定された表示色に変更する。
従って、選択されたオブジェクトを明確に表示することができる。
【００６６】
また、制御部１１０は、少なくとも一部の領域が選択領域５０に含まれる他のオブジェクトと重なるオブジェクトを選択する場合に、選択するオブジェクトより重なりの順番が上のオブジェクトの透過率を、選択するオブジェクトの透過率より高くする。
従って、選択されたオブジェクトを明確に表示することができる。
【００６７】
また、制御部１１０は、選択領域５０と、選択領域５０の外側の領域とのいずれか一方の領域に対するタッチ操作を第２のタッチ操作と判定し、選択領域５０と選択領域５０の外側の領域とのいずれか他方の領域に対するタッチ操作を第３のタッチ操作と判定する。制御部１１０は、第３のタッチ操作が入力された場合、第２のタッチ操作が入力された場合とは異なる処理を実行する。
従って、選択領域５０に対するタッチ操作と、選択領域５０の外側の領域に対するタッチ操作とで異なる処理を実行させることができる。
【００６８】
また、制御部１１０は、選択領域５０と、選択領域５０の外側の領域とのいずれか一方の領域に対するタッチ操作を第２のタッチ操作と判定して、設定した順番に従ってオブジェクトの選択を変更する。また、制御部１１０は、選択領域５０と、選択領域５０の外側の領域とのいずれか他方の領域に対するタッチ操作を第３のタッチ操作と判定して、設定した順番とは逆の順番でオブジェクトの選択を変更する。
従って、選択領域５０をタッチ操作した場合と、選択領域５０の外側の領域をタッチ操作した場合とで、オブジェクトを選択する順番を変更することができる。このため端末装置１００の使い勝手を向上させることができる。
【００６９】
また、制御部１１０は、選択領域５０と、選択領域５０の外側の領域とのいずれか一方の領域に対するタッチ操作を第２のタッチ操作と判定して、設定した順番に従ってオブジェクトの選択を変更する。また、制御部１１０は、選択領域５０と、選択領域５０の外側の領域とのいずれか他方の領域に対するタッチ操作を第３のタッチ操作と判定して、オブジェクトの選択を確定させる。
従って、選択領域５０に対するタッチ操作と、選択領域５０の外側の領域に対するタッチ操作とにより、オブジェクトの選択を変更する操作と、オブジェクトの選択を確定させる操作とを行うことができる。
【００７０】
また、制御部１１０は、第１のタッチ操作として検出されたタッチ操作がタッチセンサー１２３により検出されなくなると、オブジェクトの選択を確定させる。
従って、簡易な操作によりオブジェクトの選択を確定させることができる。
【００７１】
また、制御部１１０は、予め設定された時間内に行われる１又は複数のタッチ操作を第１のタッチ操作と判定し、タッチセンサー１２３により検出されるタッチ操作の操作位置に基づいて選択領域５０を設定する。
従って、選択領域５０を、１又は複数のタッチ操作により設定することができる。
【００７２】
上述した実施形態は、本発明の好適な実施の形態である。但し、これに限定されるものではなく、本発明の要旨を逸脱しない範囲内において種々の変形実施が可能である。
例えば、図１に示す端末装置１００の機能ブロックは、端末装置１００の備える機能を主な処理内容に応じて分類して示した概略図であり、端末装置１００の構成は、処理内容に応じてさらにより多くの機能ブロックに分割することもできる。また、各機能ブロックの処理は、１つのハードウェアで実行してもよいし、複数のハードウェアで実行してもよい。また、各機能ブロックの処理は、１つのプログラムで実現してもよいし、複数のプログラムで実現してもよい。
【００７３】
また、図２及び図３に示すフローチャートの処理単位は、端末装置１００の制御部１１０の処理を理解容易にするために、主な処理内容に応じて分割したものであり、処理単位の分割の仕方や名称によって、本発明が制限されることはない。制御部１１０の処理は、処理内容に応じて、さらに多くの処理単位に分割することもできるし、１つの処理単位をさらに多くの処理を含むように分割することもできる。また、上記のフローチャートの処理順序も、図示した例に限られるものではない。
【００７４】
また、上述した実施形態では、表示パネル１２１に対する指の接触操作をタッチ操作として検出する場合を説明したが、タッチ操作は、ユーザーの指による操作に限定されない。例えば、スタイラス等の指示体による操作により、第１のタッチ操作及び第２のタッチ操作を行うことも可能である。
指示体によるタッチ操作により第１のタッチ操作を検出する場合、制御部１１０は、予め設定された時間内に順次行われる複数回のタッチ操作を第１のタッチ操作と判定する。
また、上述した実施形態では、第１のタッチ操作として表示パネル１２１に接触させた２本の指を表示パネル１２１から離さず、２本の指の接触を検出した状態でその後に検出される新たな接触を第２のタッチ操作として検出した。１本の指示体により操作を行う場合、指示体が表示パネル１２１から離れても、第１のタッチ操作と第２のタッチ操作とを区別して検出する必要がある。このため、制御部１１０は、予め設定された時間内に検出されるタッチ操作を第１のタッチ操作と判定し、予め設定された時間が経過した後に検出される操作を第２のタッチ操作と判定する。
【００７５】
また、上述した実施形態では、端末装置１００が実行する制御プログラムや、アプリケーションプログラムをメモリーモジュール１１３に記憶させておく場合を例に挙げて説明したが、必ずしもメモリーモジュール１１３に記憶させておく必要はない。例えば、コンピューターで読み込み可能なフレキシブルディスク（ＦＤ）、ＤＶＤ、ＤＶＤ−ＲＡＭ等の可搬記憶媒体に記憶させておく構成であってもよく、ＣＤ−ＲＯＭ、ＣＤ−Ｒ／ＲＷ、光磁気ディスク、ＩＣカードなどの可搬記憶媒体であってもよい。また、公衆回線、インターネット、ＬＡＮ、ＷＡＮなどを介して端末装置１００に接続されるサーバー装置にプログラムを記憶させておき、端末装置１００がサーバー装置からプログラムを読み出して実行してもよい。また、公衆回線、インターネット、ＬＡＮ、ＷＡＮなどを介してサーバー装置からプログラムを可搬記憶媒体や記憶媒体に格納し、端末装置１００がこれからプログラムを読み出して実行するようにしてもよい。
【符号の説明】
【００７６】
５０…選択領域、５３…タッチ位置、５４…対角線、５５…中心、１００…端末装置、１１０…制御部、１１１…プロセッサー、１１３…メモリーモジュール、１２０…表示部、１２１…表示パネル、１２３…タッチセンサー、１２５…グラフィックＩ／Ｆ部、１３１…操作ボタン群、１３３…撮像部、１３５…入出力Ｉ／Ｆ部、１４１…オーディオユニット、１４３…オーディオＩ／Ｆ部、１４５…通信Ｉ／Ｆ部、１５０…システムバス。
【図１】
2019028720.tif 000003
【図２】
2019028720.tif 000004
【図３】
2019028720.tif 000005
【図４】
2019028720.tif 000006
【図５】
2019028720.tif 000007
【図６】
2019028720.tif 000008
【図７】
2019028720.tif 000009
【図８】
2019028720.tif 000010
【図９】
2019028720.tif 000011
【図１０】
2019028720.tif 000012